(57)【特許請求の範囲】
【請求項１】
装置内に光ディスクを引き込むためにローラ軸にゴムローラを被せたフィードローラと、前記フィードローラの両端部を回転可能に支持する軸受部および前記フィードローラの中央部を前記光ディスクから離れて回転可能に支持するガイド部を有する支持板とを備え、前記フィードローラは前記ローラ軸の中央部に挿入されたスリーブを有し、前記スリーブは前記ガイド部に設けられた複数の突片に挿入され、前記突片の高さは前記スリーブの半径以上かつ前記スリーブの直径以下である光ディスク搬送装置。
【請求項２】
前記スリーブの両側に両端部に向けて拡径したテーパ状のゴムローラが被せられていることを特徴とする請求項１記載の光ディスク搬送装置。
【発明の詳細な説明】
【０００１】
【発明の属する技術分野】
本発明は、光ディスク再生装置における光ディスク搬送装置に関する。
【０００２】
【従来の技術】
図３（ａ）は従来の車載用光ディスク装置のシャーシ組立体を示す平面図、図３（ｂ）はその側面図であり、図４はフィード板組立体の平面図である。図３および図４において、ロアシャーシ３１の前部には、フィード板組立体が配置されている。フィード板組立体は、ローラ軸８０の上に中央部から両端部に向けてテーパ状に形成されたゴムローラ８１を被覆したフィードローラ８２が、図の右側端部に圧入されたローラギヤ８３が、駆動ギヤ６６と噛み合うことにより回転駆動される。フィードローラ８２は、板金製のフィード板８４の両側板８４ａ、８４ｂに、ローラ軸８０の両端部に挿入されたローラ軸受け８５、８６を介して回転可能に支持されている。フィード板８４の両側板８４ａ、８４ｂには、ガイドピン８７、８８がそれぞれ外側方向に突設されており、また、立ち上がり片８４ｃ、８４ｄには、支持軸８９、９０が加締めにより固定されている。そして、ロアシャーシ３１前部の左右両側に設けられた立ち上がり片９１、９２に形成されたＵ字溝９１ａ、９２ａに、フィード板組立体の支持軸８９、９０が乗せられるとともに、フィード板８４の両側に下方に向けた折り曲げ部８４ｅ、８４ｆと、ロアシャーシ３１の折り曲げ部３１ｅ、３１ｆとの間には、引っ張りコイルばね９３、９４が掛け渡されて、フィード板８４を上方向に回動付勢して、ローラ軸８０のローラギヤ８３を駆動ギヤ６６に噛み合わせている。駆動ギヤ６６はギヤ列６７、６８、６９を介してモータ７０により駆動される。
【０００３】
フィードローラ８２とその上のアッパシャーシに固定されたディスク摺動板との間に挿入された光ディスクＤは、モータ７０によりフィードローラ８２が回転することにより装置内に引き込まれ、また、モータ７０が逆転することにより、装置の所定位置まで排出される。フィードローラ８２は、ゴムローラ８１が中央部が細く、両端部に行くにつれて拡径したテーパ状に形成されているので、操作者が光ディスクＤを装置の片側に寄せて挿入しても、このゴムローラ８１によって中央部に引き寄せられてセンタリングされるので、ディスク再生位置に正しく搬送することができる。また、光ディスクＤとゴムローラ８１との接触傷防止を兼ねている。
【０００４】
【発明が解決しようとする課題】
しかしながら、この種の車両用光ディスク再生装置は、設置スペースの制約からより一層の薄型化が要請されており、その場合に、フィードローラの太さが薄型化の鍵の一つになっている。フィードローラは、その直径に比べて軸方向の長さがかなり長く、光ディスクを搬送する際には光ディスクを押圧して、前後方向と押圧方向への力を受けながら回転するので、ある程度の太さがないと変形してしまい、フィードローラの直径を小さくする上で限界があった。また、ゴムローラはテーパ状に形成されているため、最小径部の肉厚を確保しなければならず、最小径部から所定の勾配を持たせると、最大径部の直径は自ずと決まるため、ゴムローラの直径を小さくする上でも限界があった。
【０００５】
本発明は、このような従来の問題を解決するものであり、薄型化を可能にした光ディスク搬送装置を提供することを目的とする。
【０００６】
【課題を解決するための手段】
上記目的を達成するため、本発明の光ディスク搬送装置は、装置内に光ディスクを引き込むためにローラ軸にゴムローラを被せたフィードローラと、前記フィードローラの両端部を回転可能に支持する軸受部および前記フィードローラの中央部を前記光ディスクから離れて回転可能に支持するガイド部を有する支持板とを備え、前記フィードローラは前記ローラ軸の中央部に挿入されたスリーブを有し、前記スリーブは前記ガイド部に設けられた複数の突片に挿入され、前記突片の高さは前記スリーブの半径以上かつ前記スリーブの直径以下であるものであり、この構成により、ローラ軸を細くしても、その中央部に加わる圧力を支持板のガイド部で受けるので、ローラ軸の変形を防止することができ、フィードローラひいては装置全体を薄型化することができる。
【０００７】
また、本発明の光ディスク搬送装置は、前記スリーブの両側に両端部に向けて拡径したテーパ状のゴムローラが被せられていることを特徴とするものであり、この構成により、テーパ状のゴムローラの長さを短くしても最小径部の肉厚を確保することができるので、ゴムローラ、ひいてはフィードローラおよび装置を薄型化することができる。
【０００８】
【発明の実施の形態】
以下、本発明の実施の形態について図面を参照して説明する。図１は本発明の実施の形態における車両用光ディスク搬送装置のフィード板組立体の平面図、図２（ａ）は図１のＡ−Ａ線に沿う断面図、図２（ｂ）は図１の右側面図である。図１および図２において、板金製の支持板であるフィード板１の両側部には、下方に折り曲げられた側板２、３が形成され、それぞれの後部側に軸受部である上部を開放した半円形の軸受溝４、５が形成され、前部の両側には、回転支軸６、７が絞り加工によりそれぞれ外側に突出して形成されている。また、フィード板１の中央部には、後方に向けてガイド部８が突出形成されている。このガイド部８は、後部に上方に向けて形成された突片８ａと、この突片８ａの両側にこの突片８ａとの間に間隔ｄをおいて上方に向けて形成された突片８ｂ、８ｃとを備えている。各突片８ａと８ｂ、８ｃとの幅ｄは、後述するフィードローラ９のスリーブ１１の直径と略等しく、その高さｈは、スリーブ１１の直径以下、かつ半径以上の寸法を有する。
【０００９】
フィードローラ９は、直径２ｍｍ程度の細いローラ軸１０の上に、中央部に樹脂製のスリーブ１１を被せ、スリーブ１１の両側に両端部に向けて拡径したテーパ状のゴムローラ１２、１３を被せたものである。ローラ軸１０の両端部には、樹脂製の円筒状の軸受１４、１５が挿入され、さらに他方の側の端部にはギヤ１６が圧入されている。
【００１０】
このようなフィードローラ９は、その中央部のスリーブ１１をフィード板１のガイド部８の突片８ａと８ｂ、８ｃとの間に挿入し、その両端部の軸受１４、１５をフィード板１両側の軸受溝４、５に押し込むことにより、フィード板１に回転可能に取り付けられる。フィード板１は、光ディスク再生装置のロアシャーシの軸受部に回動可能に支持され、フィードモータからの回転力がギヤ列を介してギヤ１６に伝達され、フィードローラ９が回転して、その上部に配置されたディスク摺動板と協働して光ディスクを装置内に引き込む。その際、フィードローラ９には前後方向および下方向への圧力が加わるが、フィードローラ９の中央部はガイド部８に支持されているので、変形することなく、ディスクを確実に搬送することができる。また、ガイド部８の突片８ａ、８ｂ、８ｃの高さｈは、スリーブ１１の直径以下、かつ半径以上に設定されているので、搬送される光ディスクには接触せず、光ディスクの搬送を妨害することはない。
【００１１】
このように、本実施の形態によれば、フィードローラ９の両端部を回転可能に支持するフィード板１の後部中央に、３つの突片８ａ、８ｂ、８ｃからなるガイド部８を設け、フィードローラ９を、そのローラ軸１０の中央部にスリーブ１１を挿入し、このスリーブ１１を介してフィード板１のガイド部８に支持したので、ローラ軸１０を細くしても回転中に変形することがなく、このためフィードローラ９全体を細くでき、ひいては装置全体を薄型化することができる。
【００１２】
【発明の効果】
以上説明したように、本発明の光ディスク搬送装置は、装置内に光ディスクを引き込むためにローラ軸にゴムローラを被せたフィードローラと、このフィードローラの両端部を回転可能に支持する軸受部およびフィードローラの中央部を光ディスクから離れて回転可能に支持するガイド部を有する支持板とを備えているので、ローラ軸を細くしても、その中央部に加わる圧力を支持板のガイド部で受けることができ、フィードローラおよび装置を薄型化することができるとともに、ガイド部の突片の高さは、スリーブの直径以下、かつ半径以上に設定されているので、搬送される光ディスクには接触せず、光ディスクの搬送を妨害することはない。
【００１３】
また、本発明の光ディスク搬送装置は、フィードローラが、そのローラ軸の中央部に挿入されたスリーブを有し、スリーブの両側に両端部に向けて拡径したテーパ状のゴムローラを被せたので、テーパ状のゴムローラの長さを短くしても最小径部の肉厚を確保することができ、ゴムローラ、ひいてはフィードローラおよび装置を薄型化することができる。
【図面の簡単な説明】
【図１】本発明の実施の形態における光ディスク再生装置のフィード板組立体の平面図
【図２】（ａ）図１のＡ−Ａ線に沿う断面図
（ｂ）図１（ａ）の右側面図
【図３】（ａ）従来例における光ディスク再生装置のシャーシ組立体の平面図
（ｂ）従来例における光ディスク再生装置のシャーシ組立体の右側面図
【図４】従来例における光ディスク再生装置のフィード板組立体の平面図
【符号の説明】
１  フィード板
２、３側板
４、５軸受溝
６、７回転支軸
８  ガイド部
８ａ、８ｂ、８ｃ  突片
９  フィードローラ
１０  ローラ軸
１１  スリーブ
１２、１３  ゴムローラ
１４、１５  軸受
１６  ギヤ
【図１】
0004149149.tif 000002
【図２】
0004149149.tif 000003
【図３】
0004149149.tif 000004
【図４】
0004149149.tif 000005